(57)【要約】【課題】貫通孔の貫通方向に直交する面内で電線を引き出すことができるブッシングおよびそれを用いた照明器具を提供する。【解決手段】ブッシング１は、電線が挿通される電線挿通孔に装着され、前記電線を挿通する貫通孔７が貫設された筒状に形成される。ブッシング１は、電線挿通孔の少なくとも一方の開口から電線挿通孔の外側に鍔部１０を突出させる形で電線挿通孔に嵌着される。鍔部１０における貫通孔７の開口の周囲には、前記電線が嵌め込まれることにより電線を保持する電線保持溝１５が、鍔部１０の外周縁と貫通孔７とを連結する形に設けられている。【選択図】図１
2008103119.tif 000002
【特許請求の範囲】
【請求項１】
電線が挿通される電線挿通孔に装着され、前記電線を挿通する貫通孔が形成された筒状のブッシングであって、電線挿通孔の少なくとも一方の開口から電線挿通孔の外側に一部を突出させる形で電線挿通孔に嵌着され、電線挿通孔から突出した部位における前記貫通孔の開口の周囲に、前記電線が嵌め込まれることにより電線を保持する電線保持溝が、電線挿通孔から突出した部位の外周縁と貫通孔とを連結する形に設けられていることを特徴とするブッシング。
【請求項２】
光源を有した器具本体と、器具本体の一部を貫通する電線とを備え、器具本体は、前記電線が貫通する部位に、請求項１記載のブッシングが装着される電線挿通孔を有することを特徴とするブッシングを用いた照明器具。
【発明の詳細な説明】
【技術分野】
【０００１】
本発明は、電線が挿通されるブッシングおよびそれを用いた照明器具に関するものである。
【背景技術】
【０００２】
従来から、照明器具等の電気器具において、筐体や回路基板などに貫設された電線挿通用の電線挿通孔に、電線を挿通する貫通孔が貫設された筒状のブッシングを装着したものが種々提供されている（たとえば特許文献１参照）。
【０００３】
この種のブッシングは、たとえば、貫通孔内で電線を保持することにより、電線に作用した張力が電線の接続部位に伝わることを防止したり、電線挿通孔の開口周縁と電線との隙間を埋めることにより、電線挿通孔と電線との間を通して充電部に水が浸入することを防止したりするために設けられる。
【特許文献１】特開２００２−３１８２０８号公報（第５頁）
【発明の開示】
【発明が解決しようとする課題】
【０００４】
ところで、上述したブッシングを用いると、通常、ブッシングに挿通された電線の先端部はブッシングから貫通孔の貫通方向に沿って突出する。そのため、貫通孔の貫通方向に直交する面内でブッシングから電線を引き出すには、電線を曲げて保持する必要がある。
【０００５】
たとえば電線挿通孔の側方に電線の先端部を接続する接続パッドが設けられている場合には、作業者は、電線を先端部が接続パッド上に位置するように保持しながら接続作業（たとえばはんだ付け）を行う必要がある。しかし、作業者が電線を定位置に保持し続けることは困難であり、接続作業時に電線の先端部が動いてしまう可能性があるので、電線接続時の作業性はよくない。
【０００６】
本発明は上記事由に鑑みて為されたものであって、貫通孔の貫通方向に直交する面内で電線を引き出すことができるブッシングおよびそれを用いた照明器具を提供することを目的とする。
【課題を解決するための手段】
【０００７】
請求項１の発明では、電線が挿通される電線挿通孔に装着され、前記電線を挿通する貫通孔が形成された筒状のブッシングであって、電線挿通孔の少なくとも一方の開口から電線挿通孔の外側に一部を突出させる形で電線挿通孔に嵌着され、電線挿通孔から突出した部位における前記貫通孔の開口の周囲に、前記電線が嵌め込まれることにより電線を保持する電線保持溝が、電線挿通孔から突出した部位の外周縁と貫通孔とを連結する形に設けられていることを特徴とする。
【０００８】
請求項２の発明は、光源を有した器具本体と、器具本体の一部を貫通する電線とを備え、器具本体が、前記電線が貫通する部位に、請求項１記載のブッシングが装着される電線挿通孔を有することを特徴とする。
【発明の効果】
【０００９】
本発明は、ブッシングのうちの電線挿通孔から突出した部位における貫通孔の開口の周囲に、電線が嵌め込まれることにより電線を保持する電線保持溝が、電線挿通孔から突出した部位の外周縁と貫通孔とを連結する形で設けられているので、貫通孔から引き出された電線を電線保持溝に嵌入して保持させることにより、貫通孔の貫通方向に直交する面内で電線を引き出すことができる。その結果、電線は電線保持溝に保持されることによって先端部が位置決めされることとなるので、たとえば電線挿通孔の側方に電線の先端部を接続する場合でも、電線の先端部が動くことを防止でき、電線接続時の作業性が向上するという利点がある。
【発明を実施するための最良の形態】
【００１０】
（実施形態１）
本実施形態ではブッシングとして、天井に一部が埋め込まれる形で設置されることによりダウンライトとして機能する照明器具に用いられるブッシングを例示する。この照明器具Ａの器具本体２１は、図２に示すように、設置状態での下面に円形状の開口窓２２を有した箱状であって開口窓２２の周縁から外方へ外鍔２３が延設されたケース２４を有し、天井を構成する天井材（図示せず）に形成された施工孔（図示せず）に、前記ケース２４が挿入されることにより外鍔２３を前記施工孔の周囲の下面に当接させる形で天井材に取り付けられる。なお、ケース２４の外側には、器具本体２１を天井材に取り付けるための板ばねからなる一対の取付ばね２５を一体に設けたコ字状の取付部材２６が取り付けられている。
【００１１】
上述の照明器具Ａは、図３に示すように板状の取付ベース２とカバー６とで構成されるハウジング２７内に光源としてのＬＥＤ３を収納してなる光源ユニット２８をケース２４内に備え、ケース２４と光源ユニット２８で器具本体２１を構成する。この照明器具Ａでは、それぞれ絶縁された一対の電線Ｌ１，Ｌ２を一括して保護用の外被４ａで覆ったケーブル４を電源線として光源ユニット２８に電力供給を行う。
【００１２】
取付ベース２の前面（器具本体２１を設置した状態での下面）には回路基板１２が取着されており、ＬＥＤ３は回路基板１２の前面に複数個実装される。ここで、取付ベース２と回路基板１２との両方に連通する形で取付ベース２の厚み方向に貫通する電線挿通孔５が形成されており、電力供給用のケーブル４は、電線挿通孔５に挿通されることにより取付ベース２の背面（器具本体２１を設置した状態での上面）側から回路基板１２の前面側に引き込まれる。なお、ケース２４の底壁の中央部には電線Ｌ１，Ｌ２を通す透孔（図示せず）が貫設され、電線Ｌ１，Ｌ２において光源ユニット２８に引き込まれた一端部とは反対側の他端部には、器具本体２１とは別に設置された電源ユニット（図示せず）が接続される。
【００１３】
光源ユニット２８においては、図４（ａ）に示すように回路基板１２の前面に一対の接続パッド１３，１４が設けられており、各接続パッド１３，１４には各電線Ｌ１，Ｌ２の先端部がそれぞれはんだ付けにより接続される。図４の例では、取付ベース２として、前面が円形状であって中心部に電線挿通孔５が形成されたものを用いており、両接続パッド１３，１４は電線挿通孔５の両側方に配設されている。
【００１４】
カバー６は、回路基板１２へのＬＥＤ３等の部品の実装および電線パッド１３，１４への電線Ｌ１，Ｌ２の接続が完了した後で取付ベース２に取り付けられる。図３の例では、カバー６の周部から突出したかしめ突起１６を取付ベース２の周部に形成された取付孔１７に差し込み、その後かしめ突起１６の先端部をかしめることによりカバー６と取付ベース２とを結合しているが、カバー６と取付ベース２との結合手段はこの構成に限らない。なお、カバー６において各ＬＥＤ３に対応する位置にはそれぞれＬＥＤ３からの光の配光を制御するレンズ１８が形成されている。カバー６におけるレンズ１８以外の部位は絶縁性を有するとともに、ＬＥＤ３からの光を反射する反射板として機能する。
【００１５】
本実施形態のブッシング１は、上述した光源ユニット２８の電線挿通孔５に装着されるものである。以下では、ブッシング１の構成について説明する。
【００１６】
ブッシング１は、図１および図５に示すように、断面円形状の貫通孔７が貫通した筒状に形成されており、貫通孔７の貫通方向の一端部に貫通孔７の貫通方向に直交する面内で貫通孔７の両側方に突出する一対の鍔片８を有する。一対の鍔片８は、貫通孔７を中心として２回回転対称となる位置に設けられている。両鍔片８の先端面は、貫通孔７の内周面に沿って湾曲している。なお、本実施形態のブッシング１はゴム弾性を有する合成樹脂材料から形成される。
【００１７】
ブッシング１は、鍔片８よりも貫通孔７の貫通方向の他端部（鍔片８側とは反対側の端部）側に、外周形状が貫通孔７に沿って断面円形状に形成された円筒部９を有する。ここにおいて、ブッシング１は、円筒部９が上述した電線挿通孔５に嵌入されることにより、円筒部９以外の部分（以下、鍔部１０という）を電線挿通孔５の開口から突出させる形で電線挿通孔５に装着される。ここに、回路基板１２の前面から鍔片８の厚み寸法（貫通孔７の貫通方向の寸法）分だけブッシング１を突出させることにより、両接続パッド１３，１４間の沿面距離を伸ばし、両接続パッド１３，１４間の絶縁性を確保することができる。
【００１８】
円筒部９は、鍔部１０から離れるほど外径が小さくなる先細り形状に形成され、電線挿通孔５への嵌入が容易になっている。ここで、円筒部９は、鍔部１０側の端部の外径が電線挿通孔５よりもやや大きくなるように形成されている。これにより、円筒部９を電線挿通孔５に嵌入すると、円筒部９における鍔部１０側の端部が電線挿通孔５内で圧縮され、貫通孔７が縮径されることとなる。
【００１９】
ブッシング１の貫通孔７には、電線挿通孔５を通すケーブル４が挿通される。ここに、ブッシング１は、電線挿通孔５に取り付けられる前の状態で、貫通孔７がケーブル４の外被４ａの外径と略同径となるように形成されている。したがって、円筒部９を電線挿通孔５に嵌入して貫通孔７が縮径されると、貫通孔７に挿通されたケーブル４は貫通孔７内でブッシング１により挟持され長手方向への移動が禁止される。その結果、ブッシング１は所謂張力止めとして機能し、光源ユニット２８の外側で電線Ｌ１，Ｌ２が引張られて電線Ｌ１，Ｌ２に張力が作用しても、当該張力はブッシング１で遮断され、接続パッド１３，１４に接続された電線Ｌ１，Ｌ２の先端部に伝わることはない。
【００２０】
また、ブッシング１は、貫通孔７の貫通方向に直交する面内で鍔片８の突出方向とは直交する方向に貫通孔７を開放するスリット１１が、貫通孔７の貫通方向の全長に亘って形成されている。このスリット１１を設けたことにより貫通孔７の径が変化しやすくなるので、貫通孔７にケーブル４を挿通しやすくなる。
【００２１】
ところで、各電線Ｌ１，Ｌ２の先端部をそれぞれ接続パッド１３，１４に接続する際に、各電線Ｌ１，Ｌ２の先端部が動いてしまうと作業性がよくない。そこで、本実施形態のブッシング１は、図１および図５に示すように、電線挿通孔５への装着時に電線挿通孔５の開口から突出する鍔部１０のうち、貫通孔７の貫通方向において円筒部９側とは反対側の一端面に、各電線Ｌ１，Ｌ２がそれぞれ嵌め込まれる電線保持溝１５を有している。電線保持溝１５に嵌め込まれる電線Ｌ１，Ｌ２は、ケーブル４の外被４ａが剥離された状態の各電線Ｌ１，Ｌ２である。
【００２２】
電線保持溝１５は、幅寸法が各電線Ｌ１，Ｌ２の直径と略同一に設定されており、電線Ｌ１，Ｌ２が嵌め込まれるだけで電線Ｌ１，Ｌ２を保持することができる。この電線保持溝１５は、貫通孔７に連続し、且つ貫通孔７の貫通方向に直交する面内で貫通孔７の中心部を通り鍔片８の突出方向に沿う一直線上に延長されている。ここで、ブッシング１は、各鍔片８の先端部をそれぞれ接続パッド１３，１４に向けて電線挿通孔５に装着される。つまり、電線保持溝１５は貫通孔７から各接続パッド１３，１４に向けて延長されることとなる。
【００２３】
上述した構成によれば、図４に示すように、貫通孔７から電線Ｌ１，Ｌ２を引き出す長さを電線挿通孔５と各接続パッド１３，１４との間の距離に応じて調節した上で、電線保持溝１５に各電線Ｌ１，Ｌ２を嵌入して保持させることによって、各電線Ｌ１，Ｌ２の先端部を各接続パッド１３，１４上にそれぞれ位置決めすることができる。したがって、各電線Ｌ１，Ｌ２の先端部を接続パッド１３，１４にそれぞれ接続するはんだ付け作業が容易になり、作業性が向上するという利点がある。
【００２４】
本実施形態では、電線挿通孔５の両側方に設けられた接続パッド１３，１４に電線Ｌ１，Ｌ２を接続するために、上述のように貫通孔７から両側方に延長された形状の電線保持溝１５を採用しているが、電線保持溝１５はこの形状に限定されるものではなく、貫通孔７からの電線保持溝１５の延長方向は、貫通孔７の貫通方向に直交する面内で貫通孔７から電線Ｌ１，Ｌ２を引き出す向きに応じて適宜設定することが望ましい。すなわち、電線保持溝１５は、貫通孔７の貫通方向に直交する面内で鍔部１０の外周縁と貫通孔７とを連結する形に延長されていればよく、たとえば一部湾曲した形状であってもよい。
【００２５】
また、電線保持溝１５は、電線Ｌ１，Ｌ２を内部に収納することができるように深さ寸法が各電線Ｌ１，Ｌ２の直径よりも大きく設定されている。そのため、図４（ｂ）に示すように電線保持溝１５内に電線Ｌ１，Ｌ２を嵌め込むことにより、ブッシング１の鍔部１０の厚み寸法内で電線Ｌ１，Ｌ２を引き回すことができ、回路基板１２の前面からの電線Ｌ１，Ｌ２の高さ寸法を小さく抑えることができる。
【００２６】
さらに、カバー６におけるブッシング１との対向部位には先端面をブッシング１に押し当てる突台１９が突設されている。したがって、カバー６を取付ベース２に取り付けた状態では、突台１９によってブッシング１が押圧されて円筒部９が電線挿通孔５内に押し込まれることとなる。その結果、ブッシング１は、貫通孔７が縮径されて電線Ｌ１，Ｌ２（ケーブル４）をより強固に保持し、張力止めとしての機能が向上する。
【００２７】
なお、本実施形態では、貫通孔７に電線Ｌ１，Ｌ２を挿通しやすくするためにスリット１１が形成されたブッシング１を例示したが、本発明を実施するためにスリット１１は必須の構成ではなく、スリット１１を省略してもよい。
【００２８】
また、電線保持溝１５の深さ寸法は、各電線Ｌ１，Ｌ２の直径よりも大きい寸法に限定されるものではなく、各電線Ｌ１，Ｌ２を嵌め込むことにより電線Ｌ１，Ｌ２を保持できる範囲であれば、各電線Ｌ１，Ｌ２の直径と同等の寸法や各電線Ｌ１，Ｌ２の直径よりも小さい寸法であってもよい。
【００２９】
（実施形態２）
本実施形態では、図６に示すように、回路基板１２に、ブッシング１の鍔部１０における回路基板１２に沿った断面形状に合わせて形成された嵌合孔２０が貫設された光源ユニット２８に用いられるブッシング１を例示する。本実施形態のブッシング１は、鍔部１０を嵌合孔２０に嵌合させるように装着される点が実施形態１とは相違する。
【００３０】
すなわち、本実施形態では、図６（ｂ）のように嵌合孔２０内に鍔部１０の少なくとも一部が挿入されることとなり、回路基板１２の前面から鍔部１０の全体が突出する場合に比べて、回路基板１２の前面からのブッシング１の突出量が小さくなる。したがって、回路基板１２の厚み方向における光源ユニット２８の寸法を小さく抑え、光源ユニット２８の薄型化を図ることができるという利点がある。ここで、鍔部１０のうち少なくとも電線保持溝１５が設けられた部分については回路基板１２の前面から突出するように、鍔片８の厚み寸法および嵌合孔２０の深さ寸法が設定されている。この場合に、電線Ｌ１，Ｌ２を電線保持溝１５の全長に亘って嵌め込むことができるので、電線Ｌ１，Ｌ２の位置固定を確実に行うことができる。
【００３１】
また、鍔部１０においては貫通孔７の両側方に一対の鍔片８が突出しているので、鍔部１０が嵌合孔２０に嵌合した状態では、回路基板１２の前面に沿う面内でのブッシング１の回転は禁止される。これにより、回路基板１２の前面に沿う面内でのブッシング１の向きは嵌合孔２０の開口形状に応じて決まり、結果的に、ブッシング１から電線Ｌ１，Ｌ２を引き出す向きを確実に固定できるという効果を奏する。
【００３２】
なお、本実施形態では取付ベース２として、図６（ａ）に示すように前面が矩形状であって中心部に電線挿通孔５が形成されたものを例示しているが、取付ベース２の形状はこの形状に限定されるものではない。その他の構成および機能は実施形態１と同様である。
【図面の簡単な説明】
【００３３】
【図１】本発明の実施形態１のブッシングを示し、（ａ）は正面図、（ｂ）は側面図、（ｃ）は他方向からみた側面図である。
【図２】同上のブッシングを用いた照明器具を示す斜視図である。
【図３】同上のブッシングを用いた照明器具の要部を示す一部を破断した側面図である。
【図４】同上のブッシングを用いた照明器具の要部を示し、（ａ）は正面図、（ｂ）は断面図である。
【図５】同上のブッシングを示す斜視図である。
【図６】本発明の実施形態２のブッシングを用いた照明器具の要部を示し、（ａ）は正面図、（ｂ）は断面図である。
【符号の説明】
【００３４】
１  ブッシング
２  取付ベース
３  ＬＥＤ（光源）
５  電線挿通孔
７  貫通孔
１５  電線保持溝
２１  器具本体
Ａ  照明器具
Ｌ１，Ｌ２  電線
【図１】
2008103119.tif 000003
【図２】
2008103119.tif 000004
【図３】
2008103119.tif 000005
【図４】
2008103119.tif 000006
【図５】
2008103119.tif 000007
【図６】
2008103119.tif 000008